(57)【要約】【課題】回路規模をできるだけ抑えつつ高画質の拡大・縮小が可能なカラー画像処理装置を提供する。【解決手段】（ＲＧＢ表色系で）カラー画像データを入力するＣＣＤ１と、ＣＣＤ１で入力されたカラー画像データを、明度成分を分離して表せる表色系（Ｌ＊　ａ＊　ｂ＊　表色系）に変換する色空間変換回路５と、色空間変換回路５から出力される表色系変換後のカラー画像データを拡大・縮小する拡大・縮小回路６とを備える。拡大・縮小回路６は、明度成分（Ｌ＊　成分）については線形補間を伴う拡大・縮小処理を行い、その他の成分（ａ＊　成分、ｂ＊　成分）については単純画素間引・画素挿入により拡大・縮小処理を行う。【選択図】　　　図１
2004104197.tif 000002
【特許請求の範囲】
【請求項１】
カラー画像データを入力するカラー画像データ入力部と、このカラー画像データ入力部で入力されたカラー画像データを、明度成分を分離して表せる表色系に変換する色空間変換部と、この色空間変換部から出力される表色系変換後のカラー画像データを拡大・縮小する拡大・縮小部とを備え、前記拡大・縮小部は、明度成分については線形補間を伴う拡大・縮小処理を行い、その他の成分については単純画素間引・画素挿入により拡大・縮小処理を行うことを特徴とするカラー画像処理装置。
【請求項２】
前記明度成分を分離して表せる表色系は、Ｌ＊　ａ＊　ｂ＊　表色系であることを特徴とする請求項１記載のカラー画像処理装置。
【発明の詳細な説明】
【０００１】
【発明の属する技術分野】
この発明は、コピー機やファクシミリ装置等に組み込まれるカラー画像処理装置に関する。
【０００２】
【従来の技術】
デジタルカラーコピー機等では、例えばＣＣＤでスキャンしたカラー画像はＲＧＢ表色系であり、これをＹＭＣＫ表色系に変換してプリントするが、拡大・縮小を行う際には、ＲＧＢ又はＹＭＣＫ表色系で拡大・縮小を行っていた。しかし、人間の感覚に適した調整を行うため、Ｌ＊　ａ＊　ｂ＊　表色系を介してＲＧＢ表色系からＹＭＣＫ表色系に変換することも行われている。
【０００３】
例えば、ＲＧＢ表色系で画像を入力し、これをＬ＊　ａ　＊ｂ＊　表色系に変換し、更にＹＭＣＫ表色系に変換してから画像を拡大・縮小し出力する画像処理装置が開示されている（例えば、特許文献１参照）。一般に像域分離等の各種の画像処理を施すには、Ｌ＊　ａ＊　ｂ＊　表色系が便利であり、このＬ＊　ａ＊　ｂ＊　表色系で拡大・縮小を行うことができる。
【０００４】
【特許文献１】
特開２０００−２３２５７５号公報
【０００５】
【発明が解決しようとする課題】
ところで、画像を高画質で拡大・縮小するには線形補間等を施す必要があるが、線形補間を行うには演算回路が必要であり、この演算回路はコスト高につながる。従って、各色成分について線形補間を施すと、回路規模が増大し、延いては画像処理装置自体がコスト高になるという問題がある。
【０００６】
この発明は、そのような問題点に着目してなされたものであって、回路規模をできるだけ抑えつつ高画質の拡大・縮小が可能なカラー画像処理装置を提供することを目的としている。
【０００７】
【課題を解決するための手段】
前記目的を達成するために、本発明のカラー画像処理装置は、カラー画像データを入力するカラー画像データ入力部と、このカラー画像データ入力部で入力されたカラー画像データを、明度成分を分離して表せる表色系に変換する色空間変換部と、この色空間変換部から出力される表色系変換後のカラー画像データを拡大・縮小する拡大・縮小部とを備え、前記拡大・縮小部が、明度成分については線形補間を伴う拡大・縮小処理を行い、その他の成分については単純画素間引・画素挿入により拡大・縮小処理を行うことを特徴とする。
【０００８】
このカラー画像処理装置では、明度成分についてのみ、線形補間による拡大・縮小を行い、その他の成分については、単純画素間引・画素挿入により拡大・縮小を行うこととしている。これは、次の理由による。Ｌ＊　ａ＊　ｂ＊　表色系では、明度がＬ＊　成分として分離されている。一方、人間の目は明度については敏感だが、色相、彩度についてはそれほどでない。そこで、明度成分を表す少なくとも１成分（Ｌ＊　成分）については、線形補間を施し、他の成分（ａ＊　成分、ｂ＊　成分）については、単純画素間引・挿入で済ますことにしている。
【０００９】
これにより、拡大・縮小回路が簡略化し、カラー画像処理装置のコストを低減することができる。つまり、線形補間には拡大・縮小のための演算回路が必要であるが、単純間引・挿入には演算回路は不要であり、演算回路を最小限にすることができ、コストを削減できる。
【００１０】
なお、本発明において、明度成分を分離して表せる表色系は、Ｌ＊　ａ＊　ｂ＊　表色系であるが、この他にＪＰＥＧに圧縮するときに用いるＹＣｒＣｂ表色系もある。
【００１１】
【発明の実施の形態】
以下、実施の形態により、この発明を更に詳細に説明する。
【００１２】
実施形態に係るカラー画像処理装置を組み込んだデジタルカラーコピー機におけるカラー画像処理回路の構成例を示すブロック図を図１に示す。
【００１３】
このカラー画像処理回路は、カラー画像データを入力するカラー画像データ入力部としてのＣＣＤ１、ＡＦＥ（アナログフロントエンド）２、シェーディング補正回路３、γ補正回路４、色空間変換回路（色空間変換部）５、拡大・縮小回路（拡大・縮小部）６、画像メモリ７、色補正回路８、色空間変換回路９、γ補正回路１０、スクリーン１１、カラープリンタエンジン１２、ＣＰＵ１３、表示部１４、操作部１５を備えている。
【００１４】
ＣＣＤ１は、原稿の１走査線の画像を読み取り、所定間隔を置いて次の走査線画像を順次読み取る。ＡＦＥ２は、ＣＣＤ１の出力をアナログ増幅するとともに、デジタルデータを多値化出力する。シェーディング補正回路３は、原稿読み取り時のＡＦＥ２の出力を例えばＲＡＭ（図示せず）に記憶してあるシェーディング補正データにより補正し、出力する。γ補正回路４は、シェーディング補正後の出力に対し、画質調整等を行う。
【００１５】
色空間変換回路５は、ＲＧＢの画像データを、明度成分を分離して表せるＬ＊　ａ＊　ｂ＊　の画像データに変換する。拡大・縮小回路６は、Ｌ＊　ａ＊　ｂ＊　の画像データに対して拡大又は縮小処理を選択的に行う。この拡大・縮小回路６は、後記のように、明度成分を表すＬ＊　成分については線形補間を伴う拡大・縮小処理を行い、その他の成分（ａ＊　成分、ｂ＊　成分）については単純画素間引・挿入により拡大・縮小処理を行う。画像メモリ７は、拡大又は縮小されたＬ＊　ａ＊　ｂ＊　の画像データを各色ごとに対応するメモリ領域に蓄積する。
【００１６】
色補正回路８は、画像メモリ７から読み出されたＬ＊　ａ＊　ｂ＊　の画像データに対し、彩度や色相などの色補正を行う。色空間変換回路９は、Ｌ＊　ａ＊　ｂ＊　の画像データをＹＭＣＫの画像データに変換する。γ補正回路１０は、色空間変換後の出力に対し、画質調整等を行う。スクリーン１１は、疑似中間調処理を行う。ここでの疑似中間調処理では、複数のドットの集合で網点を形成し、この網点の大きさにより疑似的に画像の階調を表現する。カラープリンタエンジン１２は、カラープリンタを制御する。
【００１７】
ＣＰＵ１３は、このカラー画像処理回路全体を制御する。表示部１４は、例えばＬＣＤであり、各種情報を表示する。操作部１５は、テンキー、スタートキー等で構成され、様々な指示を入力する。
【００１８】
このカラー画像処理回路の特徴である拡大・縮小回路６は、図２に示すように、ＣＰＵ１３から取り込まれる拡大・縮小率を一時的に保存する拡大・縮小率レジスタ２１と、レジスタ２１に保存された拡大・縮小率に基づいてイネーブル信号、係数信号を生成する係数生成・イネーブル信号生成回路２２と、Ｌ＊　ａ＊　ｂ＊　の画像データのうち、Ｌ＊　成分について線形補間を伴う拡大・縮小を行う線形補間回路２３と、ａ＊　成分について単純画素間引・画素挿入により拡大・縮小を行う単純間引・挿入回路２４と、ｂ＊　成分について単純画素間引・画素挿入により拡大・縮小を行う単純間引・挿入回路２５とで構成される。
【００１９】
図３は、図２に示した拡大・縮小回路６の具体的な内部回路を示している。
【００２０】
拡大・縮小率レジスタ２１は、ＣＰＵからの拡大・縮小率を保存する。係数生成・イネーブル信号生成回路２２は、拡大・縮小率レジスタ２１に保存された拡大・縮小率に応じた入力イネーブル信号（ｒｅ）、出力選択信号１（Ｏ−ｓｅｌ１）、係数１（ｗ１）、係数２（ｗ２）、出力選択信号２（Ｏ−ｓｅｌ　２）、及び出力イネーブル信号（Ｗｅ）を発生する。これらの各信号は、入力された拡大・縮小率に応じて、予め用意した態様の波形で発生される。その具体例については後述する。
【００２１】
線形補間回路２３は、バッファ３１と、このバッファ３１の出力Ｌ＊　信号を直接入力に受けるとともに係数１（ｗ１）を入力に受けて乗算する乗算器（１）　３２と、バッファ３１の保存内容を１データ分遅延させる遅延回路３３と、この遅延回路３３の出力と係数２（ｗ２）とを乗算する乗算器（２）　３４と、乗算器（１）　３２と乗算器（２）　３４の出力を受けて加算する加算器ａ３５と、乗算器（１）　３２の出力と選択回路（１）　３７の出力とを加算する加算器ｂ３６と、加算器ａ３５と加算器ｂ３６の出力を受け、出力選択信号２（Ｏ−ｓｅｌ　２）により、いずれか一方の加算器の出力を選択する選択回路（１）　３７と、この選択回路（１）　３７の出力を所定の除数（例えば拡大率７／３の場合は７）で除算する除算器３８とを備えている。
【００２２】
また、ａ＊　信号の単純間引・挿入回路２４は、ａ＊　信号入力を保存するバッファ３９と、その出力を入力に受ける遅延回路４０と、バッファ３９からの直接入力と遅延回路４０からの出力とを受け、出力選択信号１（Ｏ−ｓｅｌ　１）の論理状態に応じ、いずれかの入力を出力する選択回路（２ａ）４１とから構成されている。
【００２３】
また、ｂ＊　信号の単純間引・挿入回路２５は、ｂ＊　信号入力を保存するバッファ４２と、その出力を入力に受ける遅延回路４３と、バッファ４２からの直接入力と遅延回路４３からの出力とを受け、出力選択信号１（Ｏ−ｓｅｌ　１）の論理状態に応じ、いずれかの入力を出力する選択回路（２ｂ）４４とから構成されている。
【００２４】
次に、この拡大・縮小回路６の動作を、入力画像を７／３倍に拡大する場合と、３／７倍に縮小する場合を例に挙げて説明する。まず、７／３倍に拡大する場合について説明する。
【００２５】
図４に、７／３倍拡大を行う場合の回路各部の信号のタイムチャートを示す。この場合、出力選択信号２（Ｏ−ｓｅｌ　２）及び出力イネーブル信号（Ｗｅ）が常に「１」であり、選択回路（１）　３７のＡ側の入力、つまり加算器ａ３５の出力がデータＬ’　＊　ｍ　として採用される。バッファ３１へのＬ＊　信号は、図３のｉｎで示すように、Ｌ＊　０　，Ｌ＊　１　，Ｌ＊　２　，Ｌ＊　３　，…の順に保存され、更に、この信号が遅延回路３３で１データ分が所定時間保存・遅延され、図３のｉｎ−ｄで示す信号となる。
【００２６】
バッファ３１及び遅延回路３３へのデータの保存は、イネーブル信号がハイで、クロック信号ｃｌｋが立ち上がりの時点で行われる。ここでは、倍率が７／３であるため、入力イネーブル信号（ｒｅ）は１，０，０，１，０，１，０のサイクルで与えられ、これに応じて入力データが保存される。
【００２７】
次に、バッファ３１の記憶内容と係数１（ｗ１）が乗算器（１）　３２で乗算され、また遅延回路３３の出力と係数２（ｗ２）が乗算器（２）　３４で乗算される。係数１（ｗ１）は、係数生成・イネーブル信号生成回路２２で０，３，６，２，５，１，４のサイクルで生成され、係数２（ｗ２）は、７，４，１，５，２，６，３のサイクルで生成される。そのため、加算器ａ３５より出力される最初のデータは、７・Ｌ＊　０　＋０・Ｌ＊　１　となり、次のタイミングの出力データは、４・Ｌ＊　０　＋３・Ｌ＊　１　となる。これらは、順次、選択回路（１）　３７より出力され、除算器３８で除数７で除算され、それぞれ順次に（７・Ｌ＊　０　＋０・Ｌ＊　１　）／７，（４・Ｌ＊　０　＋３・Ｌ＊　１　）／７，…が出力される。従って、線形補間回路２３では、入力されたＬ＊　ｍ　はＬ’＊　０　，Ｌ’＊　１　，Ｌ’＊　２　，Ｌ’＊　３　，…Ｌ’＊　８　として、図５に示すテーブルの演算がなされ、補間されたＬ＊　信号が出力される。
【００２８】
また、出力選択信号１（Ｏ−ｓｅｌ　１）は、図４に示すように、０，０，１，０，１，０，１のサイクルで変化し、選択回路（２ａ）４１及び選択回路（２ｂ）４４は、この「０」，「１」に応じ、それぞれＡ側，Ｂ側の入力を選択する。そのため、ａ＊　信号としてａ＊　ｎ−１　又はａ＊　ｎ　を、またｂ＊　信号としてｂ＊　ｎ−１　又はｂ＊　ｎ　を出力する。その結果、図５に示すように、ａ＊　ｍ　信号はａ０　，ａ０　，ａ１　，ａ１　，ａ２　，ａ２　，ａ３　，ａ３　，ａ３　，…で出力され、ｂ＊　ｍ　信号はｂ０　，ｂ０　，ｂ１　，ｂ１　，ｂ２　，ｂ２　，ｂ３　，ｂ３　，ｂ３　，…で出力される。
【００２９】
次に、３／７倍に縮小する場合について説明する。図６は、この場合の回路各部の信号のタイムチャートを示す。ここでは、出力選択信号１（Ｏ−ｓｅｌ　１）は、常に「０」の状態にあるので、選択回路（２ａ）４１及び選択回路（２ｂ）４４の出力は、それぞれ遅延回路４０，４３からの出力を選択し、つまりａ＊　ｎ　，ｂ＊　ｎ　を選択する。
【００３０】
また、図６に示すように、係数１（ｗ１）は、３，３，１，３，２，３，３のサイクルで、係数２（ｗ２）は、０，３，６，２，５，１，４のサイクルで乗算器（１）　３２と乗算器（２）　３４に加えられる。また、出力選択信号２（Ｏ−ｓｅｌ２）が１，０，０，１，０，１，０のサイクルで選択回路（１）　３７に加えられている。更に、出力イネーブル信号（Ｗｅ）が出力選択信号２（Ｏ−ｓｅｌ　２）より１画素タイミング先行する態様で０，１，０，１，０，１，０のサイクルで発生されている。
【００３１】
入力ｉｎ＝Ｌ＊　０　がバッファ３１に入力された最初の画素タイミングでは、係数１（ｗ１）が３で、係数２（ｗ２）が０であり、出力選択信号２（Ｏ−ｓｅｌ２）が「１」であるから、加算器ａ３５の出力が選択回路（１）　３７で選択される。この時、遅延回路３３よりの出力はＸ、バッファ３１よりの出力はＬ＊　０　であるから、加算器ａ３５、選択回路（１）　３７よりの出力は、３・Ｌ＊　０　＋０・Ｘとなる。続く、ｉｎ＝Ｌ＊　１　がバッファ３１に保存されるタイミングでは、係数１（ｗ１）が３で、係数２（ｗ２）が３であり、出力選択信号２（Ｏ−ｓｅｌ　２）が「０」であるから、加算器ｂ３６の出力が選択回路（１）　３７で選択される。加算器ｂ３６には、乗算器（１）　３２の出力３・Ｌ＊　１　と選択回路（１）　３７からのＬ’＊　０　が入力されているので、加算器ｂ３６、選択回路（１）　３７よりの出力は、３・Ｌ＊　１　＋Ｌ’＊　０　となる。
【００３２】
更に、次のｉｎ＝Ｌ＊　２　がバッファ３１に保存されるタイミングでは、係数１（ｗ１）が１で、係数２（ｗ２）が６であり、出力選択信号２（Ｏ−ｓｅｌ　２）が「０」であるから、加算器ｂ３６の出力が選択回路（１）　３７で選択される。ここでは、加算器ｂ３６に乗算器（１）　３２の出力１・Ｌ＊　２　と選択回路（１）　３７からのＬ’＊　１　が入力されている。従って、加算器ｂ３６、選択回路（１）　３７よりの出力は、１・Ｌ＊　２　＋Ｌ’＊　１　となる。更に、次のｉｎ＝Ｌ＊　３　がバッファ３１に保存されるタイミングでは、係数１（ｗ１）が３で、係数２（ｗ２）が２であり、出力選択信号２（Ｏ−ｓｅｌ　２）が「１」であるから、加算器ａ３５の出力が選択回路（１）　３７で選択される。この時、遅延回路３３を経て乗算器（２）　３４からの出力は２・Ｌ＊　２　であり、乗算器（１）　３２の出力は３・Ｌ＊　３　であるから、加算器ａ３５、選択回路（１）　３７よりの出力は、３・Ｌ＊　３　＋２・Ｌ＊　２　となる。
【００３３】
これらは、順次に選択回路（１）　３７より出力され、除算器３８で除数７で除算され、それぞれ順次に（３・Ｌ＊　０　＋０・Ｘ）／７，（３・Ｌ＊　１　＋Ｌ’＊　０　）／７，（１・Ｌ＊　２　＋Ｌ’＊　１　）／７，（３・Ｌ＊　３　＋２・Ｌ’＊　２　）／７，…が出力される。従って、入力されたＬ＊　ｍ　は、Ｌ’＊　０　，Ｌ’＊　１　，Ｌ’＊　２　，Ｌ’＊　３　，…Ｌ’＊　８　として、図７に示すテーブルの演算がなされて出力される。ここで、縮小のため、出力イネーブル信号（Ｗｅ）が「１」のタイミングでのデータのみが出力されるので、図７に示すテーブルによれば、Ｌ’＊　２　，Ｌ’＊　４　，Ｌ’＊　６　のみが出力される。
【００３４】
ここで、上記の拡大・縮小回路６におけるＬ＊　成分について行う線形補間による拡大を、拡大率７／３を例にして説明する。図８の（ａ）において、Ｐ０　，Ｐ１　，Ｐ２　，Ｐ３　を元の画素とし、ここでは元の画素間を７区間で示している。拡大後の画素はＤ０　（＝Ｐ０　）の画素を最初の画素とし、続いてＤ１　，Ｄ２　，…，Ｄ６　で示している。各補間画素は、
Ｄ０　＝（７・Ｐ０　＋０・Ｐ１　）／７，Ｄ１　＝（４・Ｐ０　＋３・Ｐ１　）／７，
Ｄ２　＝（１・Ｐ０　＋６・Ｐ１　）／７，Ｄ３　＝（５・Ｐ１　＋２・Ｐ２　）／７，
Ｄ４　＝（２・Ｐ１　＋５・Ｐ２　）／７，Ｄ５　＝（６・Ｐ２　＋１・Ｐ３　）／７，
Ｄ６　＝（３・Ｐ２　＋４・Ｐ３　）／７
となる。拡大率がＭ／Ｎで表せる場合、そして係数をｗ１，ｗ２とすると、一般式として、
Ｄｉ　＝（ｗ１・Ｐｐ＋ｗ２・Ｐｑ）／Ｍ、（ｉ＝０，１，２…）
ｐ＝（ｉ・Ｎ）／Ｍの整数部
ｑ＝ｐ＋１
ｗ１＝Ｎ−ｗ２
ｗ２＝（Ｍ・ｉ）ｍｏｄ　Ｎ
で表せる。上記７／３の拡大率の場合には、Ｄ０　，Ｄ１　，…，Ｄ６　では、係数ｗ１は７，４，１，５，２，６，３と変化し、係数ｗ２は０，３，６，２，５，１，４と変化している。
【００３５】
また、ａ＊　成分及びｂ＊　成分について行う単純挿入による拡大は、図８の（ｂ）に示すように、Ｄ０　＝Ｐ０　，Ｄ１　＝Ｐ０　，Ｄ２　＝Ｐ２　，Ｄ３　＝Ｐ２　，Ｄ４　＝Ｐ３　，Ｄ５　＝Ｐ３　，Ｄ６　＝Ｐ４　と最近傍の隣接画素を単純挿入している。
【００３６】
次に、Ｌ＊　成分について行う線形補間による縮小を、縮小率３／７を例にとり説明する。図９の（ａ）において、Ｐ０　，Ｐ１　，…，Ｐ６　を元の画素とし、３×７＝２１小区間を想定し、元の画素については３つの小区間で構成される区間（３）が割り当てられることとなる。一方、縮小後の画素はＤ０　，Ｄ１　，Ｄ２　で示され、それぞれ７つの小区間で構成される区間（７）が割り当てられ、区間（７）の中心に縮小後の画素Ｄ０　，Ｄ１　，Ｄ２　が位置することとなる。区間（７）に対して、近傍の区間（３）が占める割合（３／７の場合は、１，２，３のいずれか）によって、重みが設定される。各補間画素は、
Ｄ０　＝（３・Ｐ０　＋３・Ｐ１　＋１・Ｐ２　）／７
Ｄ１　＝（２・Ｐ２　＋３・Ｐ３　＋２・Ｐ４　）／７
Ｄ２　＝（１・Ｐ４　＋３・Ｐ５　＋３・Ｐ６　）／７
となる。
【００３７】
また、ａ＊　成分、ｂ＊　成分について行う単純間引による縮小は、図９の（ｂ）に示すように、図９の（ａ）のＬ＊　成分の場合と同様に、新しい画素Ｄ１　，Ｄ２　，Ｄ３　の位置を定め、最近傍の元画素を新たにａ＊　成分、ｂ＊　成分とし、結果として縮小率に応じた間引を行う。ここでは、Ｄ１　＝Ｐ２　，Ｄ２　＝Ｐ４　，Ｄ３　＝Ｐ６　となる。
【００３８】
一般的に、Ｍ／Ｎ（Ｍ，Ｎ：自然数）の縮小率では、
2004104197.tif 000003
ｐ＝ｍ・Ｍ／Ｎの整数部
ｑ＝（ｍ＋１）・Ｍ／Ｎ−１の小数点以下切り上げ
ｗｊ＝Ｎ−（ｊ・Ｍ）ｍｏｄ　Ｎ
（但し、ｗｊ≧Ｍのとき、ｗｊ＝Ｍ）
となる。
【００３９】
このように、人間の目が敏感である明度成分を表すＬ＊　成分については線形補間による拡大・縮小を行い、人間の目がそれほど鋭敏でない色相、彩度成分を表すａ＊　成分及びｂ＊　成分については単純挿入・間引による拡大・縮小を行うことで、コストが掛かる演算回路を必要最小限に止めることができ、それにより回路規模をできるだけ抑えつつ高画質の拡大・縮小が可能となる。
【００４０】
【発明の効果】
以上説明したように、この発明のカラー画像処理装置によれば、明度を表す少なくとも１成分については線形補間による拡大・縮小処理を行い、その他の成分については単純画素間引・画素挿入により拡大・縮小処理を行うことにより、拡大・縮小回路が簡略化し、カラー画像処理装置のコストを低減することができる。
【図面の簡単な説明】
【図１】実施形態に係るカラー画像処理装置を組み込んだデジタルカラーコピー機におけるカラー画像処理回路の構成例を示すブロック図である。
【図２】図１のカラー画像処理回路における拡大・縮小回路の構成例を示すブロック図である。
【図３】図２の拡大・縮小回路のより具体的な構成を示すブロック図である。
【図４】同カラー画像処理装置において、７／３倍に拡大するときの回路各部の信号のタイムチャートである。
【図５】同カラー画像処理装置において、７／３倍に拡大するときのＬ’＊　成分、ａ’＊　成分及びｂ’＊　成分のテーブルである。
【図６】同カラー画像処理装置において、３／７倍に縮小するときの回路各部の信号のタイムチャートである。
【図７】同カラー画像処理装置において、３／７倍に縮小するときのＬ’＊　成分、ａ’＊　成分、ｂ’＊　成分及び出力イネーブル信号（Ｗｅ）のテーブルである。
【図８】同カラー画像処理回路の拡大処理を示し、線形補間による７／３倍の拡大を示す図（ａ）、及び単純挿入（隣接補間）による７／３倍の拡大を示す図（ｂ）である。
【図９】同カラー画像処理回路の縮小処理を示し、線形補間による３／７倍の縮小を示す図（ａ）、及び単純間引による３／７倍の縮小を示す図（ｂ）である。
【符号の説明】
１　　　　　　ＣＣＤ（カラー画像データ入力部）
５　　　　　　色空間変換回路（色空間変換部）
６　　　　　　拡大・縮小回路（拡大・縮小部）
１３　　　　　ＣＰＵ
２１　　　　　拡大・縮小率レジスタ
２２　　　　　係数生成・イネーブル信号生成回路
２３　　　　　線形補間回路
２４，２５　　単純間引・挿入回路
【図１】
2004104197.tif 000004
【図２】
2004104197.tif 000005
【図３】
2004104197.tif 000006
【図４】
2004104197.tif 000007
【図５】
2004104197.tif 000008
【図６】
2004104197.tif 000009
【図７】
2004104197.tif 000010
【図８】
2004104197.tif 000011
【図９】
2004104197.tif 000012